(57)【要約】【課題】  来訪者への応答時に番組の見逃しが防止されるテレビシステムを提供する。【解決手段】  テレビシステムを構成するテレビのＣＰＵ１２０は、インターフェイスからの信号に基づいて来訪を検知する来訪検知部２１２と、映像信号の入力源を切り換える指令を映像信号処理回路に対して送出する映像信号切換指令部２１４と、音声信号処理回路に対する音声信号の入力源を切り換える音声信号切換指令部２１６と、録画／再生部に対して入力される信号を記録するように指示する録画指令部２２０と、映像音声信号の記録が開始された位置を書き込むように、録画／再生部に指令を送出する録画位置書込指令部２２２と、記録されている信号を読み出すための指示を生成する再生指令部２２４と、再生動作を停止する指令を出力する再生停止指令部２２６とを含む。【選択図】        図２
2007081676.tif 000002
【特許請求の範囲】
【請求項１】
インターホンを備え、前記インターホンは、
被写体を撮影して映像信号を生成する撮像部と、
前記撮像部により生成された映像信号を出力する出力部と、
無線の音声信号を受信する受信部と、
前記音声信号を音声に変換して出力する音声出力部とを含み、
前記インターホンに電気的に接続されているテレビジョン受信装置を備え、前記テレビジョン受信装置は、
放送信号を受信する受信部と、
入力される信号に基づいて映像を表示する表示部と、
前記インターホンからの映像信号の入力を受け付ける外部入力部と、
前記インターホンからの映像信号が入力されたことに基づいて、前記インターホンからの映像信号に基づく映像を前記表示部に表示させる表示制御手段とを含み、
リモコン装置をさらに備え、前記リモコン装置は、
入力される信号に基づいて音声を出力する音声出力部と、
音声信号が含まれる電波を受信する受信手段と、
前記電波の受信に応答して、前記音声信号に基づく音声を前記音声出力部に出力させる出力制御手段と、
入力される音声を音声信号に変換する音声入力部と、
前記音声信号を前記インターホンに送信する無線送信部とを含む、テレビシステム。
【請求項２】
インターホンに接続可能なテレビジョン受信装置を備え、
前記テレビジョン受信装置は、
放送信号を受信する受信部と、
入力される信号に基づいて映像を表示する表示部と、
前記インターホンからの映像信号の入力を受け付ける外部入力部と、
前記インターホンからの映像信号が入力されたことに基づいて、前記映像信号に基づく映像を前記表示部に表示させる表示制御手段とを含み、
リモコン装置をさらに備え、前記リモコン装置は、
入力される音声を音声信号に変換する音声入力部と、
前記音声信号を前記インターホンに送信する無線送信部とを含む、テレビシステム。
【請求項３】
前記表示制御手段は、
前記放送信号に基づく画面を表示するための第１の映像信号を生成するテレビ画面生成手段と、
前記インターホンからの映像信号に基づく画面を表示するための第２の映像信号を生成するインターホン画面生成手段と、
前記第１の映像信号と前記第２の映像信号との合成を行い、前記合成により生成された信号を前記表示部に対して出力する合成手段とを含む、請求項２に記載のテレビシステム。
【請求項４】
前記表示制御手段は、
前記インターホンからの映像信号に基づく画面を表示するための信号を生成する画面生成手段と、
前記受信部により受信された放送信号に基づく画面を表示する信号に代えて、前記画面生成手段により生成された信号を前記表示部に対して出力する切換手段とを含む、請求項２に記載のテレビシステム。
【請求項５】
前記テレビジョン受信装置は、
映像音声信号の記録と再生とを行なう記録再生手段と、
前記インターホンからの信号に基づいて、前記インターホンへの操作を検知する検知手段と、
前記操作の検知に応答して、前記受信部により受信された放送信号を前記記録再生手段に記録させる記録制御手段とを含む、請求項２に記載のテレビシステム。
【請求項６】
前記テレビジョン受信装置は、
前記記録再生手段において前記放送信号が記録されている位置を特定するためのデータを格納する記憶手段と、
外部から入力される信号に基づいて、前記表示部に表示されている映像の視聴の再開を検知する再開検知手段と、
前記再開の検知に応答して、前記データにより特定される位置に記録されている放送信号を前記記録再生手段に再生させる再生制御手段をさらに含む、請求項５に記載のテレビシステム。
【請求項７】
映像音声信号の記録と再生とを行なう記録再生装置をさらに備え、前記記録再生装置は、前記テレビジョン受信装置に接続されており、
前記テレビジョン受信装置は、
前記インターホンからの信号に基づいて、前記インターホンへの操作を検知する検知手段と、
前記操作の検知に応答して、前記受信部により受信された放送信号を前記記録再生装置に記録させる記録制御手段とを含み、
前記記録再生装置は、前記テレビジョン受信装置からの信号に基づいて前記放送信号を記録する記録手段を含む、請求項２に記載のテレビシステム。
【請求項８】
前記記録再生装置は、
外部から信号の入力を受け付ける入力部と、
前記信号の記録と再生とを行なう記録再生手段と、
前記外部から入力される信号に基づいて、前記記録再生手段における記録と再生とを制御する制御手段とを含み、
前記テレビジョン受信装置は、外部に映像信号を出力する出力部をさらに含み、前記出力部は、前記記録再生装置に接続されており、
前記テレビジョン受信装置の前記記録制御手段は、
入力される映像音声信号を前記記録再生手段に記録するように、前記記録再生装置に指令を送信する指令送信手段と、
前記受信部により受信された放送信号を、前記出力部を介して前記記録再生装置に送信する送信制御手段とを含む、請求項７に記載のテレビシステム。
【請求項９】
前記記録再生装置は、
前記記録再生手段において前記放送信号が記録されている位置を特定するためのデータを格納する記憶手段と、
外部から入力される信号に基づいて、前記表示部に表示されている映像の視聴の再開を検知する再開検知手段と、
前記再開の検知に応答して、前記データにより特定される位置に記録されている放送信号を前記記録再生手段に再生させる再生制御手段をさらに含む、請求項８に記載のテレビシステム。
【請求項１０】
前記再開検知手段は、前記リモコン装置と前記インターホンとの通信の終了の検出に基づいて、前記視聴の再開を検知する、請求項６または９に記載のテレビシステム。
【請求項１１】
前記テレビジョン受信装置は、
映像音声信号の再生を行なう再生手段と、
前記インターホンからの信号に基づいて、前記インターホンへの操作を検知する検知手段と、
前記再生が行なわれている時に前記操作を検知すると、前記再生手段に前記再生を停止させる停止制御手段とをさらに含む、請求項２に記載のテレビシステム。
【請求項１２】
前記再生手段は、前記映像音声信号を格納する信号記録手段を含み、
前記テレビジョン受信装置は、
前記映像音声信号の再生が停止された位置を前記信号記録手段において特定するための位置データを格納する停止位置記憶手段と、
外部から入力される信号に基づいて、前記表示部に表示されている映像の視聴の再開を検知する再開検知手段と、
前記再開の検知に応答して、前記位置データに基づいて、前記再生手段に前記映像音声信号を再生させる再生制御手段とをさらに含む、請求項１１に記載のテレビシステム。
【請求項１３】
前記再開検知手段は、前記リモコン装置と前記インターホンとの通信の終了の検出に基づいて、前記視聴の再開を検知する、請求項１２に記載のテレビシステム。
【請求項１４】
前記リモコン装置は、入力される信号に基づいて音声を出力する音声出力部と、
音声信号が含まれる電波を受信する受信手段と、
前記電波の受信に応答して、前記音声信号に基づく音声を前記音声出力部に出力させる出力制御手段とをさらに含む、請求項２に記載のテレビシステム。
【請求項１５】
前記受信手段は、電話の信号を受信する、請求項１４に記載のテレビシステム。
【請求項１６】
前記テレビシステムは、電話回線に接続された通話装置をさらに備え、前記通話装置は、前記電話回線から電話の着信を受ける着信部と、
前記着信に応答して、電話の信号を発信する無線電話送信部と、
無線の電話信号を受信する無線電話受信部とを含み、
前記受信手段は、前記通話装置によって発信された信号を受信する、請求項１５に記載のテレビシステム。
【発明の詳細な説明】
【技術分野】
【０００１】
本発明はテレビジョン受信装置に関し、より特定的には、インターホンに接続可能なテレビシステムに関する。
【背景技術】
【０００２】
来訪を通知する装置としてインターホンが知られている。インターホンの中には、カメラを有し、来訪者の映像を屋内の受信装置に伝送するものがある。受信装置は、呼び出し音声の出力とともに、小型モニタに映像を表示する。映像を表示する機能を有するインターホンとしては、たとえば特許文献１〜４に開示されている。
【特許文献１】特開平５−１４８９６号公報
【特許文献２】特開平９−６５２２４号公報
【特許文献３】特開平６−２４５１５７号公報
【特許文献４】特開２００２−３７４４８９号公報
【発明の開示】
【発明が解決しようとする課題】
【０００３】
ところで、家屋の住人は、通常は、インターホンの前にいない。したがって、インターホンによって来訪が通知された場合、受信装置に移動して、小型モニタに表示された映像を確認することが一般的に行なわれる。
【０００４】
このような局面において、住人がたとえばテレビを視聴していた場合、あるいは録画済みの番組あるいは映画その他の映像音声コンテンツを視聴していた場合、視聴が中断されることになる。そのため、テレビ放送の見所を見逃す恐れがあった。
【０００５】
本発明は、上述の問題点を解決するために成されたものであって、その目的は、インターホンへの応答が行なわれた場合であっても、視聴中の番組を見逃すことを防止可能なテレビシステムを提供することである。
【０００６】
本発明の他の目的は、電話への応答が行なわれた場合であっても、視聴中の番組を見逃すことを防止可能なテレビシステムを提供することである。
【課題を解決するための手段】
【０００７】
上記の課題を解決するために、この発明のある局面に従うテレビシステムは、インターホンを備える。インターホンは、被写体を撮影して映像信号を生成する撮像部と、撮像部により生成された映像信号を出力する出力部と、無線の音声信号を受信する受信部と、音声信号を音声に変換して出力する音声出力部とを含む。テレビシステムは、インターホンに電気的に接続されているテレビジョン受信装置を備える。テレビジョン受信装置は、放送信号を受信する受信部と、入力される信号に基づいて映像を表示する表示部と、インターホンからの映像信号の入力を受け付ける外部入力部と、インターホンからの映像信号が入力されたことに基づいて、インターホンからの映像信号に基づく映像を表示部に表示させる表示制御手段とを含む。テレビシステムは、リモコン装置をさらに備える。リモコン装置は、入力される信号に基づいて音声を出力する音声出力部と、音声信号が含まれる電波を受信する受信手段と、電波の受信に応答して、音声信号に基づく音声を音声出力部に出力させる出力制御手段と、入力される音声を音声信号に変換する音声入力部と、音声信号をインターホンに送信する無線送信部とを含む。
【０００８】
この発明の他の局面に従うテレビシステムは、インターホンに接続可能なテレビジョン受信装置を備える。テレビジョン受信装置は、放送信号を受信する受信部と、入力される信号に基づいて映像を表示する表示部と、インターホンからの映像信号の入力を受け付ける外部入力部と、インターホンからの映像信号が入力されたことに基づいて、映像信号に基づく映像を表示部に表示させる表示制御手段とを含む。テレビシステムは、リモコン装置をさらに備える。リモコン装置は、入力される音声を音声信号に変換する音声入力部と、音声信号をインターホンに送信する無線送信部とを含む。
【０００９】
好ましくは、表示制御手段は、放送信号に基づく画面を表示するための第１の映像信号を生成するテレビ画面生成手段と、インターホンからの映像信号に基づく画面を表示するための第２の映像信号を生成するインターホン画面生成手段と、第１の映像信号と第２の映像信号との合成を行い、合成により生成された信号を表示部に対して出力する合成手段とを含む。
【００１０】
好ましくは、表示制御手段は、インターホンからの映像信号に基づく画面を表示するための信号を生成する画面生成手段と、受信部により受信された放送信号に基づく画面を表示する信号に代えて、画面生成手段により生成された信号を表示部に対して出力する切換手段とを含む。
【００１１】
好ましくは、テレビジョン受信装置は、映像音声信号の記録と再生とを行なう記録再生手段と、インターホンからの信号に基づいて、インターホンへの操作を検知する検知手段と、操作の検知に応答して、受信部により受信された放送信号を記録再生手段に記録させる記録制御手段とを含む。
【００１２】
好ましくは、テレビジョン受信装置は、記録再生手段において放送信号が記録されている位置を特定するためのデータを格納する記憶手段と、外部から入力される信号に基づいて、表示部に表示されている映像の視聴の再開を検知する再開検知手段と、再開の検知に応答して、データにより特定される位置に記録されている放送信号を記録再生手段に再生させる再生制御手段をさらに含む。
【００１３】
好ましくは、テレビシステムは、映像音声信号の記録と再生とを行なう記録再生装置をさらに備える。記録再生装置は、テレビジョン受信装置に接続されている。テレビジョン受信装置は、インターホンからの信号に基づいて、インターホンへの操作を検知する検知手段と、操作の検知に応答して、受信部により受信された放送信号を記録再生装置に記録させる記録制御手段とを含む。記録再生装置は、テレビジョン受信装置からの信号に基づいて放送信号を記録する記録手段を含む。
【００１４】
好ましくは、記録再生装置は、外部から信号の入力を受け付ける入力部と、信号の記録と再生とを行なう記録再生手段と、外部から入力される信号に基づいて、記録再生手段における記録と再生とを制御する制御手段とを含む。テレビジョン受信装置は、外部に映像信号を出力する出力部をさらに含む。出力部は、記録再生装置に接続されている。テレビジョン受信装置の記録制御手段は、入力される映像音声信号を記録再生手段に記録するように、記録再生装置に指令を送信する指令送信手段と、受信部により受信された放送信号を、出力部を介して記録再生装置に送信する送信制御手段とを含む。
【００１５】
好ましくは、記録再生装置は、記録再生手段において放送信号が記録されている位置を特定するためのデータを格納する記憶手段と、外部から入力される信号に基づいて、表示部に表示されている映像の視聴の再開を検知する再開検知手段と、再開の検知に応答して、データにより特定される位置に記録されている放送信号を記録再生手段に再生させる再生制御手段をさらに含む。
【００１６】
好ましくは、再開検知手段は、リモコン装置とインターホンとの通信の終了の検出に基づいて、視聴の再開を検知する。
【００１７】
好ましくは、テレビジョン受信装置は、映像音声信号の再生を行なう再生手段と、インターホンからの信号に基づいて、インターホンへの操作を検知する検知手段と、再生が行なわれている時に操作を検知すると、再生手段に再生を停止させる停止制御手段とをさらに含む。
【００１８】
好ましくは、再生手段は、映像音声信号を格納する信号記録手段を含む。テレビジョン受信装置は、映像音声信号の再生が停止された位置を信号記録手段において特定するための位置データを格納する停止位置記憶手段と、外部から入力される信号に基づいて、表示部に表示されている映像の視聴の再開を検知する再開検知手段と、再開の検知に応答して、位置データに基づいて、再生手段に映像音声信号を再生させる再生制御手段とをさらに含む。
【００１９】
好ましくは、再開検知手段は、リモコン装置とインターホンとの通信の終了の検出に基づいて、視聴の再開を検知する。
【００２０】
好ましくは、リモコン装置は、入力される信号に基づいて音声を出力する音声出力部と、音声信号が含まれる電波を受信する受信手段と、電波の受信に応答して、音声信号に基づく音声を音声出力部に出力させる出力制御手段とをさらに含む。
【００２１】
好ましくは、受信手段は、電話の信号を受信する。
好ましくは、テレビシステムは、電話回線に接続された通話装置をさらに備える。通話装置は、電話回線から電話の着信を受ける着信部と、着信に応答して、電話の信号を発信する無線電話送信部と、無線の電話信号を受信する無線電話受信部とを含む。受信手段は、通話装置によって発信された信号を受信する。
【発明の効果】
【００２２】
本発明に係るテレビシステムによると、インターホンへの応答、あるいは電話へのが行なわれた場合には、視聴中の番組が録画され、ユーザは、応答中に放送された番組を、応答後に視聴することができる。これにより、応答中に放送された番組の視聴を見逃すことを防止することができる。あるいは、映像音声の再生動作が一時的に停止され、応答後に再び再生される。したがって、見逃したシーンを検索することなく映像音声の再生を楽しむことができる。
【発明を実施するための最良の形態】
【００２３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２４】
＜第１の実施の形態＞
以下、本発明の第１の実施の形態について説明する。図１は、本実施の形態に係るテレビシステム１０のシステム構成を表わす図である。テレビシステム１０は、テレビ１００と、インターホン１６０と、リモコン５００とを備える。
【００２５】
テレビ１００は、放送信号を受信するアンテナ１０２と、チューナ１０４と、外部音声入力部１０６と、外部映像入力部１０８と、操作部１１０と、受光部１１２と、ＣＰＵ（Central  Processing  Unit）１２０と、分離回路１１４と、切換回路１１６とを備える。ＣＰＵ１２０は、メモリ１２２を含む。
【００２６】
テレビ１００はさらに、映像信号処理回路１３０と、録画／再生部１４０と、ドライバ１３６と、ディスプレイ１３８と、音声信号処理回路１５０と、アンプ１５４と、スピーカ１５６とを備える。映像信号処理回路１３０は、入力切換回路１３２と、合成回路１３４とを含む。合成回路１３４は、ＯＳＤ（On  Screen  Display）回路１３５を含む。音声信号処理回路１５０は、入力切換回路１５２を含む。ディスプレイ１３８は、ＣＲＴ（Cathode  Ray  Tube）、液晶ディスプレイ、プラズマディスプレイ等により実現される。
【００２７】
アンテナ１０２により受信された信号は、ＣＰＵ１２０の制御によって作動するチューナ１０４に基づいて選局され、出力された信号は分離回路１１４に入力される。外部音声入力部１０６は、外部からの音声信号（たとえばインターホン１６０からの音声信号）の入力を受け付け、その信号は切換回路１１６に送出される。外部映像入力部１０８は、外部からの映像信号（たとえばインターホン１６０からの映像信号）の入力を受け付ける。その信号は映像信号処理回路１３０に送出される。
【００２８】
操作部１１０は、たとえばテレビ１００の前面に設けられたタッチパネルである。操作部１１０は、テレビ１００に対する指示を受け付け、その指示に対応する信号をＣＰＵ１２０に対して送出する。受光部１１２は、リモコン５００により送信された赤外線信号を受信し、その信号に応じた制御信号をＣＰＵ１２０に対して送出する。
【００２９】
ＣＰＵ１２０は、操作部１１０あるいは受光部１１２からの信号に基づいてテレビ１００の動作を制御する。ＣＰＵ１２０は、またメモリ１２２に格納されているプログラムあるいはデータに基づいて予め定められた処理を実行する。ＣＰＵ１２０は、テレビ１００における映像の表示を制御するための信号を映像信号処理回路１３０に対して送出する。ＣＰＵ１２０は、スピーカ１５６から出力される音声を制御するための信号を音声信号処理回路１５０に対して送出する。
【００３０】
映像信号処理回路１３０は、ＣＰＵ１２０からの制御信号に基づいて外部映像入力部１０８を介して入力された映像信号あるいは分離回路１１４から出力されたテレビ放送の信号の入力を受け付け、映像を表示するための信号をドライバ１３６に対して送出する。具体的には、入力切換回路１３２は、ＣＰＵ１２０による入力源の切換指示に基づいて外部映像入力部１０８あるいは分離回路１１４のいずれかから映像信号を受け付けるように、入力にポート（図示しない）を切り換える。
【００３１】
また、他の局面、たとえばテレビ１００がピクチャインピクチャ機能を有する場合には、入力切換回路１３２は、外部映像入力部１０８および分離回路１１４のいずれからの信号の信号の入力も受け付け、それぞれの信号を合成回路１３４に対して送出する。この場合、合成回路１３４は、インターホン１６０からの信号とアンテナ１０２により受信された放送信号とのいずれにも基づく映像を生成し、ドライバ１３６に対して送出することになる。映像信号処理回路１３０はさらに、録画／再生部１４０からの映像信号の入力を受け付ける。入力切換回路１３２は、ＣＰＵ１２０による再生指示に基づいて読出された信号を録画／再生部１４０から受け取り、ドライバ１３６に対して送出する。
【００３２】
合成回路１３４は、外部映像入力部１０８、分離回路１５４あるいは録画／再生部１４０からの映像信号を合成する。合成回路１３４は、さらに映像信号処理回路１３０の内部において生成された信号を入力にされた映像信号と合成する。具体的には、ＯＳＤ回路１３５は、ＣＰＵ１２０による指示に基づいてディスプレイ１３８に表示される文字画像を生成する。このとき合成回路１３４は、ＯＳＤ回路１３５により生成された文字画像と映像信号処理回路１３０に対して入力される映像信号とを合成して、当該合成により生成された信号をドライバ１３６に対して出力する。
【００３３】
ドライバ１３６は、映像信号処理回路１３０から出力された信号に基づいてディスプレイ１３８における映像の表示処理を実行する。その結果、ディスプレイ１３８は、アンテナ１０２により受信されたテレビ放送の映像、インターホン１６０において撮像された映像、あるいはＯＳＤ回路１３５により生成された文字画像を表示する。
【００３４】
録画／再生部１４０は、たとえばハードディスクレコーダにより実現される。あるいはフラッシュメモリその他の不揮発性の媒体が使用されてもよい。録画／再生部１４０は、ＣＰＵ１２０による指示に基づいて分離回路１１４から出力される映像音声信号を記録する。録画／再生部１４０は、さらにＣＰＵ１２０により出力される再生指示に基づいてハードディスクその他の記憶媒体に格納されているデータを読み出し、映像信号処理回路１３０に対して出力する。録画／再生部１４０は、音声信号を再生した場合には、その信号を音声信号処理回路１５０に対して送出する。
【００３５】
切換回路１１６は、外部音声入力部１０６から出力される音声信号と分離回路１１４から出力される音声信号とを切り換えて音声信号処理回路１５０に送出する。たとえばテレビ１００がアンテナ１０２により受信されたテレビジョン放送に基づく映像を表示している場合、切換回路１１６は、分離回路１１４から出力されるテレビ音声の信号を音声信号処理回路１５０に対して送出する。一方、インターホン１６０からの音声信号が外部音声入力部１０６に対して入力された場合、切換回路１１６は、外部音声入力部１０６からの音声信号を音声信号処理回路１５０に出力する。このとき、分離回路１１４からのテレビ放送の信号は、音声信号処理回路１５０に出力されなくなる。
【００３６】
音声信号処理回路１５０は、切換回路１１６から出力される音声信号と録画／再生部１４０から出力される音声信号とのいずれかをアナログ変換し、音声信号の出力のために必要な処理を実行する。入力切換回路１５２は、ＣＰＵ１２０からの切換指示に基づいて音声信号処理回路１５０から出力される信号の入力源を、切換回路１１６と録画／再生部１４０との間で切り換える。アンプ１５４は、音声信号処理回路１５０から出力される音声信号を増幅してスピーカ１５６に対して送出する。スピーカ１５６は、その信号に基づいて音声を出力する。
【００３７】
図１を再び参照して、インターホン１６０は、アンテナ１６２と、無線通信部１６４と、カメラ１６６と、マイク１６８と、ＣＰＵ１７０と、インターフェイス（Interface）１７２と、スピーカ１７４と、ボタン１７６とを備える。アンテナ１６２は、リモコン５００により送信された無線信号を受信する。無線通信部１６４は、アンテナ１６２からの信号をＣＰＵ１７０に対して送出する。ボタン１７６は、押下を検出することにより指示の入力を受け付ける。カメラ１６６は、インターホン１６０に対する操作に応答して、予め定められた撮影範囲に存在する被写体を撮影し、映像信号をＣＰＵ１７０に対して送出する。具体的には、カメラ１６６は、ボタン１７６に対する押下が検出されたことに応答して、撮像処理を実行する。
【００３８】
マイク１６８は、発話された音声の入力を受け付け、音声信号をＣＰＵ１７０に対して送出する。スピーカ１７４は、ＣＰＵ１７０からの音声信号に基づいて音声を出力する。インターフェイス１７２は、ＣＰＵ１７０から出力される音声信号をテーブル（図示しない）を介してテレビ１００の外部音声入力部１０６に対して送出する。インターフェイス１７２は、さらにＣＰＵ１７０からの映像信号をケーブル（図示しない）を介してテレビ１００の外部映像入力部１０８に対して送出する。
【００３９】
リモコン５００は、操作を検知して、その操作に応じた信号をテレビ１００あるいはインターホン１６０に送信する。リモコン５００のハードウェア構成については後述する。
【００４０】
図２を参照して、テレビ１００が備えるＣＰＵ１２０について説明する。図２は、ＣＰＵ１２０により実現される機能の構成を表わすブロック図である。
【００４１】
ＣＰＵ１２０は、入力部２１０と、来訪検知部２１２と、映像信号切換指令部２１４と、音声信号切換指令部２１６と、録画指令部２２０と、録画位置書込指令部２２２と、再生指令部２２４と、再生停止指令部２２６と、再生位置書込指令部２２８と、出力部２３０とを含む。
【００４２】
入力部２１０は、操作部１１０あるいは受光部１１２から出力された信号の入力を受け付ける。この信号は、テレビ１００に対する動作を指示する信号を含む。
【００４３】
来訪検知部２１２は、インターフェイス１７２からの信号に基づいて来訪者があったことを検知する。たとえばインターフェイス１７２がボタン１７６に対する操作を通知する信号を外部音声入力部１０６に送出した場合、ＣＰＵ１２０は、外部音声入力部１０６からの信号に基づいてその押下を検知する。
【００４４】
映像信号切換指令部２１４は、来訪検知部２１２による検知の結果に基づいて、映像信号の入力源を切り換えるための指令を映像信号処理回路１３０に対して送出する。映像信号切換指令部２１４は、来訪が検知された場合、映像信号の入力源を外部映像入力部１０８に切り換える。あるいは、録画された映像の再生が指示された場合には、映像信号切換指令部２１４は、映像信号の入力源を録画／再生部１４０に切り換える。
【００４５】
音声信号切換指令部２１６は、入力部２１０からの信号に基づいて音声信号処理回路１５０に対する音声信号の入力源を切り換える。たとえば来訪検知部２１２によって来訪が検知された場合、音声信号切換指令部２１６は、音声信号処理回路１５０に対する音声信号の入力源を外部音声入力部１０６とするように切換回路１１６に指示するための信号を生成する。あるいは録画／再生部１４０に記録されている映像音声信号の再生が指示された場合には、音声信号切換指令部２１６は、その指示に基づいて当該入力源を録画／再生部１４０とするための指示を生成する。これらの指示が出力部２３０を介して切換回路１１６あるいは音声信号処理回路１５０に対して送出されると、音声信号処理回路１５０に対する入力源は、その信号に応じて切り換えられる。
【００４６】
録画指令部２２０は、操作部１１０あるいは受光部１１２から出力される録画指示に基づいて録画／再生部１４０に対して入力される信号を記録するように指示する。録画指令部２２０は、また来訪検知部２１２によってインターホン１６０に対する来訪が検知された場合に、チューナ１０４によって現在選局されているチャンネルの映像音声信号を記録するように録画／再生部１４０に指示するための信号を生成する。これらの信号が出力部２３０を介して録画／再生部１４０に送出されると、録画／再生部１４０は、その信号に含まれる指示に応じて入力される映像音声信号を記録する。またこのとき録画／再生部１４０は、信号の記録が開始された位置（アドレス）の情報を取得し、内部メモリ（図示しない）に格納する。あるいはアドレス情報は、メモリ１２２に伝送され、ＣＰＵ１２０による処理の実行時に参照される。
【００４７】
録画位置書込指令部２２２は、録画指令部２２０による録画の指示に応答して、映像音声信号の記録が開始された位置を書き込むように、録画／再生部１４０に対して指令を送出する。
【００４８】
再生指令部２２４は、操作部１１０あるいは受光部１１２から出力される再生指示に基づいて録画／再生部１４０に記録されている信号を読み出すための指示を生成する。この指示が出力部２３０を介して録画／再生部１４０に転送されると、録画／再生部１４０は、その指示によって特定される位置から映像音声信号の再生を開始する。またインターホン１６０による動作の終了がインターフェイス１７２からの信号に基づいて通知された場合、再生指示部２２４は、録画／再生部１４０に記録されている映像を読み出す。これにより、いわゆる「追っかけ再生」が実現される。
【００４９】
再生停止指令部２２６は、操作部１１０あるいは受光部１１２からの停止指示に基づいて、録画／再生部１４０によって行なわれていた再生動作を停止する指令を出力する。録画／再生部１４０による映像音声信号の再生中にインターホン１６０に対する操作が検知された場合、再生停止指令部２２６は、その再生を停止するための指示信号を生成する。この信号が出力部２３０を介して録画／再生部１４０に送出されると、録画／再生部１４０は、その指示に基づいて再生動作を停止する。録画／再生部１４０は、そのとき再生を停止した位置を特定するためのデータ（アドレス）を取得する。
【００５０】
再生位置書込指令部２２８は、再生停止指令部２２６による再生停止の指令に基づいて録画／再生部１４０によって取得されたアドレスをメモリ１２２に書き込むように指示する。このような指示が出力部２３０を介して録画／再生部１４０に対して送出されると、録画／再生部１４０は、取得したアドレスをＣＰＵ１２０に送信する。ＣＰＵ１２０は、内蔵するメモリ１２２において予め定められた領域にそのアドレスを書き込む。
【００５１】
図３を参照して、テレビ１００のデータ構造について説明する。図３は、メモリ１２２におけるアドレスの格納の一態様を概念的に表わす図である。メモリ１２２は、データを格納するための領域３１０，３２０を含む。各領域に格納されているデータは、それぞれ関連付けられている。メモリ１２２は、フラッシュメモリその他のメモリを含む。メモリ１２２は、不揮発性でも揮発性でもよい。
【００５２】
動作モードを特定するための情報は、領域３１０に格納されている。動作モードは、たとえば一時録画、再生一時停止などを含む。アドレスは、領域３２０に格納されている。アドレスは、録画／再生部１４０に格納されている位置を特定するためのデータをいう。アドレスは、たとえば録画が開始されたアドレス、再生が停止されたアドレスなどを含む。
【００５３】
なお、上述のデータは、ＣＰＵ１２０の内部に保持されなくてもよい。たとえば録画／再生部１４０が有する内部メモリ（図示しない）に格納されてもよい。
【００５４】
図４を参照して、テレビ１００の制御構造について説明する。図４は、ＣＰＵ１２０が実行する処理の手順を表わすフローチャートである。
【００５５】
ステップＳ４１０にて、ＣＰＵ１２０は、インターホン１６０のボタン１７６の押下に応答して送信される信号に基づいて、来訪を検知する。ステップＳ４１２にて、ＣＰＵ１２０は、録画／再生部１４０に対して、アンテナ１０２によって受信されている放送の録画の開始を指令する。ステップＳ４１４にて、ＣＰＵ１２０は、映像信号の入力源をチューナ１０４からインターホン１６０に切り換えるための指令を送出する。この指令が出力されると、ディスプレイ１３８は、アンテナ１０２によって受信されていた信号に基づく映像に代えて、カメラ１６６によって撮影された映像を表示する。
【００５６】
ステップＳ４１６にて、ＣＰＵ１２０は、テレビ音声をミュート（無音）に切り換えるための指令を送出する。この信号が出力されると、分離回路１１４から出力されていたテレビ音声の信号は切換回路１１６によって遮断される。スピーカ１５６は、テレビ音声を出力しなくなる。このようにすると、視聴者は、来訪者の存在を容易に認識することができる。
【００５７】
あるいは、ミュートの指示をアンプ１５４に対して送出してもよい。この場合、アンプ１５４は、出力される音声信号のレベルを０にすることにより、スピーカ１５６による音声信号の出力をミュートとすることができる。
【００５８】
ステップＳ４１８にて、ＣＰＵ１２０は、リモコン５００からインターホン１６０への応答のためのボタン操作の信号を受信する。この信号の受信により、ＣＰＵ１２０は、インターホン１６０に対する応答が行なわれることを検知する。
【００５９】
ステップＳ４２０にて、ＣＰＵ１２０は、リモコン５００からの信号に基づいてインターホン１６０への応答が終了したことを通知する信号を受信する。ＣＰＵ１２０は、その信号の受信に基づいてインターホン１６０とリモコン５００との間の無線通信が終了したことを検知する。ステップＳ４３０にて、ＣＰＵ１２０は、再生指示が入力されたか否かを判断する。この判断は、たとえば、操作部１１０あるいは受光部１１２からの再生指示を表わす信号の受信の有無を検出することにより行なわれる。再生指示が入力されている場合（ステップＳ４３０にてＹＥＳ）、処理はＳ４３２に移される。そうでない場合（ステップＳ４３０にてＮＯ）、処理はステップＳ４４０に移される。
【００６０】
ステップＳ４３２にて、ＣＰＵ１２０は、録画／再生部１４０に対して録画済のデータを再生する指示を送出する。この指示が送出されると録画／再生部１４０は、録画の開始時に取得したアドレスを参照して、記録されている映像音声信号を読み出す。ディスプレイ１３８は、録画／再生部１４０によって読出された信号に基づいて映像を表示する。これにより再生動作が開始される。
【００６１】
ステップＳ４４０にて、ＣＰＵ１２０は、再生された映像の視聴の終了を検知したか否かを判断する。この判断は、操作部１１０あるいは受光部１１２から出力される再生指示の有無に基づいて行なわれる。ＣＰＵ１２０が、視聴の終了を検知した場合には（ステップＳ４４０にてＹＥＳ）、処理はステップＳ４４４に移される。そうでない場合（ステップＳ４４０にてＮＯ）、処理はステップＳ４４２に移される。
【００６２】
ステップＳ４４２にて、ＣＰＵ１２０は、予め定められた時間動作を継続する。その後、処理はステップＳ４４０に戻され、前述の判断処理が再び実行される。ステップＳ４４４にて、ＣＰＵ１２０は、録画／再生部１４０に対してチューナ１０４によって選局されている放送の録画の終了を指令する。録画／再生部１４０は、その指令に基づいて映像音声信号の記録動作を終了する。
【００６３】
図５および図６を参照して、本実施の形態に係るリモコン５００について説明する。図５は、リモコン５００の外観を表わす図である。図６は、リモコン５００の機能的構成を表わすブロック図である。
【００６４】
図５に示されるように、リモコン５００は、ディスプレイ５０２と、赤外線発光部５６０と、スピーカ５５２と、操作部５４０と、マイク５５０とを備える。操作部５４０は、カーソル移動キー５０４と、インターホン応答ボタン５３０と、チャンネル選局ボタン５２８と、音量変更ボタン５１８と、数字ボタン５０６とを含む。カーソル移動キー５０４は、リモコン５００に対する入力を確定するための決定ボタン５１４と、ディスプレイ５０２に表示されるカーソルを上下方向に移動して表示させるためのボタン５２４と左右方向に表示させるためのボタン５２６とを含む。
【００６５】
図６を参照して、リモコン５００は、図５に示される構成に加えて、アンテナ５７２と、無線通信部５７０と、制御回路５１０と、チャンネル選局回路５２０とを備える。制御回路５１０は、メモリ５１２を含む。制御回路５１０は、リモコン５００の動作を制御する。アンテナ５７２により受信された信号は、無線通信部５７０に入力される。無線通信部５７０は、受信した信号の中から音声信号を取得し、スピーカ５５２に対して取得した信号を送出する。スピーカ５５２は、その音声信号に基づいて音声を出力する。たとえばリモコン端末５００がインターホン１６０から無線信号を受信した場合、スピーカ５５２は、インターホン１６０に対して発話された音声を出力する。
【００６６】
制御回路５１０は、操作部５４０に対する操作に基づいて、マイク５５０に対して発話された音声の信号を無線送信するように、無線通信部５７０に対して指令する。具体的には、制御回路５１０は、インターホン応答ボタン５３０の押下を検知し、その後マイク５５０に対して発話された音声を入力源とするように無線通信部５７０に指示する。この指示により、リモコン５００は、テレビ１００を制御するためのリモコンに代えてインターホン１６０と通話するための端末として機能する。選局回路５２０は、操作部５４０に対する選局指示に基づいて指示されたチャンネルをテレビ１００に選局させるための信号を生成し、赤外線発光部５６０に発信させる。
【００６７】
図５および図６に示されるリモコン５００において、テレビ１００の動作を制御するための機能は、当業者にとって容易に理解できるものである。したがって、ここではそれらについての詳細な説明は繰り返さない。
【００６８】
図７を参照して、テレビ１００における画面の表示態様について説明する。図７は、ディスプレイ１３０における表示の推移を表わす図である。
【００６９】
画面（Ａ）に示されるように、テレビ１００が通常のテレビジョン受信装置として機能している場合、ディスプレイ１３８は、チューナ１０４によって選局されているチャンネルの映像を表示する。その後テレビ１００がインターホン１６０からの信号の入力を受け付けると、テレビ１００は、インターホン１６０に対する来訪を通知する。
【００７０】
すなわち画面（Ｂ）に示されるように、ディスプレイ１３８は、表示領域の一部にサブ画像７１０を表示する。サブ画像７１０は、インターホン１６０のカメラ１６６によって撮影された映像に相当する。またこのときディスプレイ１３８は、それまで表示されていた番組の録画が行なわれていることを通知するための文字画像を表示する。この表示は、ＯＳＤ回路１３５によって生成された画像情報をディスプレイ１３８に合わせて表示することにより行なわれる。インターホン１６０との通話が終了すると、テレビ１００は、録画された番組を再生する。
【００７１】
すなわち画面（Ｃ）に示されるように、ディスプレイ１３８は、ビデオ入力に基づく映像を表示する画面に切り換わる。ディスプレイ１３８は、録画／再生部１４０によって再生された映像信号に基づく映像を表示する。ディスプレイ１３８は、このとき現在のテレビ１００の状態が「追っかけ再生中」であることを通知するための文字画像を表示する。この表示は、前述のようにＯＳＤ回路１３５によって生成された画像情報をディスプレイ１３８に出力することにより実現される。
【００７２】
以上のようにして、本発明の実施の形態に係るテレビ１００によれば、ユーザがテレビ番組の視聴中において、来訪者がインターホン１６０に対して呼び出し操作を行なうと、インターホン１６０のカメラ１６６によって撮影された画像がテレビ１００に表示される。これにより、テレビ１００は、インターホン１６０からの情報を通知するインターフェイスとして機能するため、ユーザは来訪を容易に検知することができる。また、テレビ１００を介して来往者に対する応答が可能になるため、来訪者を待たせる時間を短くすることができる。
【００７３】
また、このとき、テレビ１００は、チューナ１０４によって選局されているチャンネルの番組を録画するように、録画／再生部１４０に指示を出力する。録画／再生部１４０は、インターホン１６０に対する呼び出し操作以後に受信された番組を録画することになるため、ユーザは、インターホン１６０を介して来訪者と応対した場合、応対後に見逃した番組を見ることができる。
【００７４】
すなわち、録画／再生部１４０は、映像音声信号の記録とともに、記録を開始した位置を合わせて保存するため、ユーザによる再生指示が出された場合、録画／再生部１４０は、その指示に応じて保存されていた信号を読み出す。これにより、ユーザは、記録されているファイルを検索することなく、簡易な操作（たとえば再生ボタンの押下のみ）で、映像を読み出すことができる。
【００７５】
＜変形例＞
以下、本発明の変形例について説明する。本変形例に係るテレビシステムは、ＨＤＤ、ＤＶＤその他の媒体に記録されている映像音声を再生している場合に来訪を検知した時、再生を一時停止する機能を有する点で、前述の実施の形態に係るシステムと異なる。
【００７６】
なお、本変形例に係るテレビシステムは、第１の実施の形態に係るテレビシステム１０が有するハードウェア構成と同一の構成を有する。
【００７７】
本変形例に係るテレビシステムは、映像の再生中にインターホン１６０からの信号の入力を検知すると、その検知に応じて再生を一時的に停止する。すなわち、ＣＰＵ１２０は、インターホン１６０からの信号の有無を検知し、信号が入力されたことを検知すると、録画／再生部１４０に対して、再生を停止する指令を出力する。録画／再生部１４０は、その指令に応答して、再生を停止した位置を特定するためのデータを取得し、内部メモリに保持したり、あるいは、ＣＰＵ１２０に対して送信する。
【００７８】
その後、ＣＰＵ１２０がインターホン１６０を介した応答の終了を検知すると、ＣＰＵ１２０は、録画／再生部１４０に対して上記データにより特定される位置〜映像音声信号の再生を行なうように、録画／再生部１４０に指令する。
【００７９】
このようにすると、録画／再生部１４０による再生が実行されている間に、ユーザがインターホン１６０を介して応答しても、再生が自動的に停止される。応答が終了すると、再生は自動的に再開する。したがって、ユーザは、再生のための動作を行なうことなく、インターホン１６０への応答を速やかに行うことができる。また、再生を再開するための操作が不要になるため、利便性が向上し得る。
【００８０】
ここで、図８を参照して、本変形例に係るテレビ１００における画面の表示態様について説明する。図８は、ディスプレイ１３０における表示の推移を表わす図である。
【００８１】
画面（Ａ）に示されるように、テレビ１００の録画／再生部１４０が映像音声信号を再生している場合、ディスプレイ１３８は、その信号に基づく映像を表示している。このとき、信号の入力源を通知するための文字画像（たとえば「ビデオ入力」）が表示されていてもよい。その後、テレビ１００がインターホン１６０からの信号の入力を受け付けると、テレビ１００は、録画／再生部１４０による再生動作を一時的に停止し、インターホン１６０に対する来訪を通知する。
【００８２】
すなわち画面（Ｂ）に示されるように、ディスプレイ１３８は、表示領域の一部にサブ画像７２０を表示する。サブ画像７２０は、インターホン１６０のカメラ１６６によって撮影された映像に相当する。またこのときディスプレイ１３８は、それまで表示されていた番組の再生が停止されていることを通知するための文字画像を表示する。この表示は、ＯＳＤ回路１３５によって生成された画像情報をディスプレイ１３８に合わせて表示することにより行なわれる。インターホン１６０との通話が終了すると、テレビ１００は、一時的に停止されていた番組の再生を再開する。
【００８３】
すなわち画面（Ｃ）に示されるように、ディスプレイ１３８は、インターホン１６０からの映像が表示されていた画面を、ビデオ入力に基づく映像を表示する画面に切り換える。ディスプレイ１３８は、録画／再生部１４０によって再生された映像信号に基づく映像を表示する。ディスプレイ１３８は、このとき、テレビ１００の現在の状態が映像の再生を行っていることを通知するための文字画像（たとえば、「再生中」）を表示する。この表示は、前述のようにＯＳＤ回路１３５によって生成された画像情報をディスプレイ１３８に出力することにより実現される。
【００８４】
以上のようにして、本変形例に係るテレビシステムによれば、映像音声の記録／再生部１４０による再生中に来訪者があっても、インターホン１６０に対する応答時には再生が一時的に停止され、停止された位置を特定するデータは保持される。したがって、インターホン１６０への応答後に、テレビはそのデータに基づいて再生を速やかに再開できる。したがって、ユーザがインターホンを介して来訪者に応答した場合であっても、応答後の再生を正確に実現することができるため、再生位置を特定するための早送り操作あるいは早戻し操作が不要になる。これにより、システムの利便性は向上し得る。
【００８５】
＜第２の実施の形態＞
以下、本発明の第２の実施の形態について説明する。本実施の形態においてはリモコンがいわゆるコードレス電話の子機として機能する点で、前述の実施の形態と異なる。
【００８６】
図９を参照して、本発明の第２の実施の形態に係るテレビシステム２０について説明する。図９は、テレビシステム２０のシステム構成の概略を表わす図である。テレビシステム２０は、電話親機９０４と、テレビ９００と、リモコン５００とを備える。
【００８７】
電話親機９０４は、電話回線９０２に接続されている。電話親機９０４は、通信部９０５と、無線通信部９０６と、アンテナ９０７とを含む。通信部９０５は、電話回線９０２を介した電話の送受信を行なう。無線通信部９０６は、通信部９０５からの信号を電波に変換して、アンテナ９０７を介して発信する。発信された電波は、電話親機９０４に対応する子機、あるいは子機機能を有する端末、たとえばリモコン５００に受信される。無線通信部９０６は、また、アンテナ９０７により受信されたリモコン５００からの電話信号を通信部９０５に送出する。
【００８８】
なお、電話親機９０４における電話の機能は、周知であり当業者にとって容易に理解できるものである。したがって、ここでは、当該機能の詳細な説明は繰りかえさない。
【００８９】
図１０を参照して、本実施の形態に係るリモコン８００について説明する。図１０は、リモコン８００の機能的構成を表わすブロック図である。
【００９０】
リモコン８００は、図５に示される構成に対して、アンテナ８２２と、電話部８２０と、切換回路８３０とを含む。リモコン８００は、また図６に示される制御回路５１０に代えて制御回路８１０を含む。
【００９１】
アンテナ８２２によって受信された親機（図示しない）からの電話信号は、電話部８２０によってスピーカ５５２に送出される。切換回路８３０は、制御回路８１０からの切換指示に基づいて信号の入力源を切り換える。リモコン８００が、インターホン１６０の子機として機能する場合、切換回路８３０は、マイク５５０から出力される音声信号を無線通信部５７０に送出する。リモコン８００が、コードレス電話の子機として機能する場合、切換回路８３０は、マイク５５０からの音声信号を電話部８２０に送出する。
【００９２】
あるいは、リモコン８００の構成においてリモコン機能が含まれていなくてもよい。この場合、リモコン８００は、電話親機９０４の子機として、あるいはテレビ９００のリモコンとして機能することになる。
【００９３】
図１１を参照して、本実施の形態に係るテレビ１００の制御構造について説明する。図１１は、ＣＰＵ１２０が実行する処理の手順を表わすフローチャートである。なお、前述の第１の実施の形態における処理と同一の処理には同一のステップ番号を付してある。それらの説明は、ここでは繰り返さない。
【００９４】
ステップＳ９１０にて、ＣＰＵ１２０は、リモコン８００から電話への応答の開始を通知する信号を受信したことを検知する。ステップＳ９３０にて、ＣＰＵ１２０は、録画／再生部１４０に対してチューナ１０４によって選局されている放送の録画の開始を指令する。ステップＳ９４０にて、ＣＰＵ１２０は、リモコン８００から、電話への応答の終了を通知する信号を受信したことを検知する。ステップＳ４３０にて、ＣＰＵ１２０は、再生の指示が入力されたか否かを判断する。再生の指示が入力されている場合（ステップＳ４３０にてＹＥＳ）、処理はステップＳ４３２に移される。そうでない場合（ステップＳ４３０にてＮＯ）、処理はステップＳ４４０に移される。その後第１の実施の形態における動作と同様の処理が行なわれる。
【００９５】
図１２を参照して、本実施の形態に係るリモコン８００の制御構造について説明する。図１２は、制御回路８１０が実行する処理の手順を表わすフローチャートである。
【００９６】
ステップＳ１０１０にて、制御回路８１０は、電話部８２０からの信号に基づいて電話の着信を検知する。ステップＳ１０２０にて、制御回路８１０は、操作部５４０からの信号に基づいて着信を検知した電話への応答の開始を検知する。ステップＳ１０３０にて、制御回路８１０は、応答の開始を通知するための信号を生成する。ステップＳ１０４０にて、制御回路８１０は、赤外線発光部５６０を介してその信号を発信する。リモコン８００がテレビ１００に対して無線通信可能な位置にある場合、その信号はテレビ１００によって受信される。
【００９７】
ステップＳ１０５０にて、制御回路８１０は、電話への応答が終了したか否かを判断する。この判断は、たとえば通話を遮断する指示が操作部５４０を介して入力されたか否かに基づいて行なわれる。電話への応答は終了している場合（ステップＳ１０５０にてＹＥＳ）、処理はステップＳ１０６０に移される。そうでない場合（ステップＳ１０５０にてＮＯ）、処理は再びステップＳ１０５０に戻される。
【００９８】
ステップＳ１０６０にて、制御回路８１０は、応答の終了を通知するための信号を生成する。ステップＳ１０７０にて、制御回路８１０は、赤外線発光部５６０を介してその信号を発信する。リモコン８００がテレビ１００に対して無線通信可能な位置にある場合、その信号はテレビ１００によって受信される。
【００９９】
以上のようにして、本発明の第２の実施の形態に係るテレビシステム２０によれば、ユーザがテレビ９００を視聴している場合に、電話親機９０４が着信を検知すると、その着信は、電話子機として機能するリモコン５００に通知される。ユーザがリモコン５００に対して電話子機としての操作を行なうと、リモコン５００は、その操作を表わす信号をテレビ９００に送信する。テレビ９００は、その信号の受信に応答して、テレビ９００において選択されていたチャンネルの番組を録画するように、録画／再生部１４０に指令する。
【０１００】
その後、ユーザが電話への応答を終了すると、テレビ９００は、その終了を検知した後、録画した番組を再生する。このようにすると、ユーザは電話への応答中に見過ごしたシーンあるいは、注意深く視聴することができなかったシーンを容易に視聴することができる。
【０１０１】
あるいは、ユーザがテレビ９００に録画されていた映像の視聴中に、電話の着信が電話親機９０４からリモコン５００に通知されると、リモコン５００は、ユーザによる電話への応答を検出する。リモコン５００は、その応答を通知する信号を発信する。テレビ９００がその信号を受信すると、当該映像の再生を一時的に停止する。
【０１０２】
その後、ユーザが電話への応答を終了すると、テレビ９００は、一時停止した再生を再開する。ユーザは、視聴したい場面を検索することなく、視聴を速やかに開始することができる。
【０１０３】
これにより、リモコンが電話子機の機能を有している場合であっても、電話への応答が速やかに実現されるとともに、応答後の操作を簡易に実現することができる。
【０１０４】
＜第３の実施の形態＞
以下、本発明の第３の実施の形態について説明する。第１及び第２の実施の形態においては、テレビは映像音声信号の記録及び再生を行なう手段としての録画／再生部１４０を有していた。しかしながら、当該手段は、テレビに含まれていなくてもよい。たとえば、当該手段として機能する記録再生装置がテレビに接続されていてもよい。この場合、インターホン１６０を介した応答に対する録画あるいは再生動作の制御は、テレビから記録再生装置に対して接続ケーブルを介して行うことになる。記録再生装置は、たとえばＨＤＤ（Hard  Disk  Drive）レコーダ、ＤＶＤ（Digital  Versatile  Disc）レコーダ、ＶＴＲ（Video  Tape  Recorder）その他不揮発性の記憶媒体を有する装置によって実現される。
【０１０５】
図１２を参照して、本実施の形態に係るテレビシステム３０について説明する。図１２は、テレビシステム３０のシステム構成を表わす図である。テレビシステム３０は、インターホン１６０と、テレビ１１００と、リモコン５００と、ＨＤＤレコーダ１１４０とを備える。
【０１０６】
ＨＤＤレコーダ１１４０は、ケーブル１１３２を介してテレビ１１００に接続されている。テレビ１１００は、図１に示される構成に対して、ＣＰＵ１２０に代えてＣＰＵ１１２０を含み、また、入出力インターフェイス１１３０を含む。
【０１０７】
入出力インターフェイス１１３０は、テレビ１１００とＨＤＤレコーダ１１４０との間の信号の通信を実現する。入出力インターフェイス１１３０は、ＣＰＵ１１２０から出力される信号をケーブル１１３２に対して送出する。入出力インターフェイス１１３０は、ＨＤＤレコーダ１１４０から出力された映像音声信号の入力を受け付ける。入出力インターフェイス１１３０は、映像音声信号を映像信号と音声信号とに分離し、映像信号を映像信号処理回路１３０に送出し、音声信号を音声信号処理回路１５０に送出する。なお、入出力インターフェイス１１３０が、音声信号の通信を行なうための音声入出力部と、映像信号の通信を行なうための映像入出力部とに予め分かれていてもよい。
【０１０８】
ＣＰＵ１１２０は、ＨＤＤレコーダ１１４０における録画動作あるいは再生動作を制御するための制御信号を生成する。ＣＰＵ１１２０が制御信号を入出力インターフェイス１１３０に対して送出すると、その信号は、入出力インターフェイス１１３０からＨＤＤレコーダ１１４０に送信される。
【０１０９】
ＨＤＤレコーダ１１４０は、テレビ１１００から制御信号を受信すると、その信号に含まれる指令に応じた動作を実行する。たとえば、録画の開始を指示する制御信号を受信した場合、ＨＤＤレコーダ１１４０は、その信号に含まれているデータ項目に応じて録画のための準備を行なう。たとえば、ＨＤＤレコーダ１１４０のチャンネル（図示しない）を指定されたチャンネルに選局する動作、録画モードを指定されたモードに設定する動作等が行なわれる。その後、ＨＤＤレコーダ１１４０は、録画の動作を開始する。
【０１１０】
なお、上記制御信号は、たとえばＨＤＤレコーダ１１４０を制御するためのリモコン（図示しない）により発せられる赤外線信号と同様にして実現される。したがって、ここでは、それらについての詳細な説明は繰り返さない。
【０１１１】
図１３を参照して、本実施の形態に係るテレビ１１００が出力する制御信号について説明する。図１３は、テレビ１１００からＨＤＤレコーダ１１４０に送信される制御信号の構成を概念的に表わす図である。
【０１１２】
信号（Ａ）は、領域１２１０〜領域１２１８を含む。ヘッダは、領域１２１０に格納されている。当該信号が録画開始を指示する信号であることを表わすための録画開始コマンドは、領域１２１２に格納されている。ＨＤＤレコーダ１１４０に選局されるチャンネルは、領域１２１４に格納されている。録画モードを規定するデータは、領域１２１６に格納されている。制御信号の正誤を確認するためのチェックデータ（たとえば、フレームチェックシーケンス）は、領域１２１８に格納されている。
【０１１３】
このような信号がＨＤＤレコーダ１１４０に送信されると、ＨＤＤレコーダ１１４０は、その信号の各領域に含まれるデータに基づいて規定される動作を実行する。これにより、ＨＤＤレコーダ１１４０は、テレビ１１００からの信号に応じて作動する。
【０１１４】
信号（Ｂ）は、テレビ１１００がＨＤＤレコーダ１１４０による録画の終了を指示する場合に送信される。信号（Ｂ）は、領域１２２０〜１２２４を含む。ヘッダは、領域１２２０に格納されている。当該信号が録画の終了を指示するものであることを表わす録画終了コマンドは、領域１２２２に格納されている。チェックデータは領域１２２４に格納されている。
【０１１５】
ＨＤＤレコーダ１４０がこのような信号を受信すると、ＨＤＤレコーダ１１４０は、その信号に規定されるデータに応じて録画を終了する。
【０１１６】
同様に、信号（Ｃ）は、テレビ１１００がＨＤＤレコーダ１１４０による再生動作を終了させるために、ＨＤＤレコーダ１１４０に対して送信する信号である。また、信号（Ｄ）は、テレビ１１００がＨＤＤレコーダ１１４０による再生動作を開始させるために、ＨＤＤレコーダ１１４０に対して送信する信号である。信号（Ｃ）および（Ｄ）の構成は、信号（Ｂ）の構成と同様である。したがって、当該構成の説明は、繰り返さない。
【０１１７】
以上のようにして、本実施の形態に係るテレビシステムによると、インターホン１６０に対する来訪が検知された場合、ユーザがテレビ１１００において視聴していた番組は、テレビ１１００に接続されているＨＤＤレコーダ１１４０に記録される。このようにしても、来訪者への応答の終了後に、ＨＤＤレコーダ１１４０に記録されている映像音声を簡易に再生することができるため、利便性が向上し得る。
【０１１８】
また、同様に、ユーザがＨＤＤレコーダ１１４０に記録されている映像音声を再生している時に来訪が検知された場合、再生が一時的に停止される。来訪者への応答が終了したことが検知されると、テレビ１１００はＨＤＤレコーダ１１４０に対して再生の再開を指示する。このようにすると、不意な来訪者への応答時でも、再生が速やかに停止されるため、ユーザは、再生された映像を見逃すことがなくなる。また、応答後の再生は、当該再生が停止された位置から再開されるため、再生映像をサーチするような処理が不要になるため、利便性が向上し得る。
【０１１９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２０】
本発明は、テレビと、インターホンとが接続可能なシステムに適用可能である。
【図面の簡単な説明】
【０１２１】
【図１】本発明の第１の実施の形態に係るテレビシステム１０のシステム構成を表わす図である。
【図２】ＣＰＵ１２０により実現される機能の構成を表わすブロック図である。
【図３】メモリ１２２におけるアドレスの格納の一態様を概念的に表わす図である。
【図４】ＣＰＵ１２０が実行する処理の手順を表わすフローチャートである。
【図５】リモコン５００の外観を表わす図である。
【図６】リモコン５００の機能的構成を表わすブロック図である。
【図７】ディスプレイ１３０における表示の推移を表わす図（その１）である。
【図８】ディスプレイ１３０における表示の推移を表わす図（その２）である。
【図９】テレビシステム２０のシステム構成の概略を表わす図である。
【図１０】本発明の第２の実施の形態に係るリモコン８００の機能的構成を表わすブロック図である。
【図１１】本発明の第２の実施の形態に係るテレビ１００を実現するＣＰＵ１２０が実行する処理の手順を表わすフローチャートである。
【図１２】本発明の第２の実施の形態に係るリモコン８００が実行する処理の手順を表わすフローチャートである。
【図１３】本発明の第３の実施の形態に係るテレビシステム３０のシステム構成を表わす図である。
【図１４】本発明の第３の実施の形態に係るテレビ１１００からＨＤＤレコーダ１１４０に送信される制御信号の構成を概念的に表わす図である。
【符号の説明】
【０１２２】
１０，２０，３０  テレビシステム、１００，９００，１１００  テレビ、１０２  アンテナ、１０４  チューナ、１０６  外部音声入力部、１０８  外部映像入力部、１１０  操作部、１１２  受光部、１１４  分離回路、１１６  切換回路、１２０，１７０，１１２０  ＣＰＵ、１２２  メモリ、１３０  映像信号処理回路、１３２  入力切換回路、１３４  合成回路、１３５  ＯＳＤ回路、１３６  ドライバ、１３８  ディスプレイ、１４０  録画／再生部、１５０  音声信号処理回路、１５２  入力切換回路、１５４  アンプ、１５６，１７４  スピーカ、１６０  インターホン、１６２  アンテナ、１６４  無線通信部、１６６  カメラ、１６８  マイク、１７２  インターフェイス、２１０  入力部、２１２  来訪検知部、２１４  映像信号切換指令部、２１６  音声信号切換指令部、２２０  録画指令部、２２２  録画位置書込指令部、２２４  再生指令部、２２６  再生停止指令部、２２８  再生位置書込指令部、２３０  出力部、５００  リモコン、５０２  ディスプレイ、５０４  カーソル移動キー、５０６  数字ボタン、５１０，８１０  制御回路、５１４  決定ボタン、５１８  音量変更ボタン、５２８  チャンネル選局ボタン、５３０  インターホン応答ボタン、５４０  操作部、５５０  マイク、５６０  赤外線発光部、５７０，９０６  無線通信部、８２０  電話部、９０２  電話回線、９０４  電話親機、９０５  通信部、１１３０  入出力インターフェイス、１１３２  ケーブル、１１４０  ＨＤＤレコーダ。
【図１】
2007081676.tif 000003
【図２】
2007081676.tif 000004
【図３】
2007081676.tif 000005
【図４】
2007081676.tif 000006
【図５】
2007081676.tif 000007
【図６】
2007081676.tif 000008
【図７】
2007081676.tif 000009
【図８】
2007081676.tif 000010
【図９】
2007081676.tif 000011
【図１０】
2007081676.tif 000012
【図１１】
2007081676.tif 000013
【図１２】
2007081676.tif 000014
【図１３】
2007081676.tif 000015
【図１４】
2007081676.tif 000016